(57)【特許請求の範囲】
【請求項１】
遊技場側から貸し出された遊技媒体を使用して遊技を行う遊技機が複数台設置され、貸出単価よりも交換単価の方が低い遊技場に設けられる遊技場用システムにおいて、
遊技者が獲得した遊技媒体のうち、当該遊技者が決定した任意の数の遊技媒体に対応した希望譲渡数を示す希望譲渡数情報を受け付ける受付手段と、
この受付手段が受け付けた希望譲渡数情報により示される希望譲渡数を譲渡遊技媒体数として特定する譲渡数特定手段と、
遊技場における遊技媒体の貸出単価及び景品交換単価を特定可能な交換情報を記憶する交換情報記憶手段と、
前記譲渡数特定手段が特定した譲渡遊技媒体数と前記交換情報記憶手段が記憶する交換情報とに基づいた演算により、当該譲渡遊技媒体数に相当した数の遊技媒体を遊技場側から貸出を受ける場合の貸出価額よりも低く、当該譲渡遊技媒体数に相当した数の遊技媒体を景品と交換する場合の景品交換価額よりも高い価額となる譲渡価額を特定する譲渡価額特定手段と、
この譲渡価額特定手段が特定した譲渡価額と前記譲渡数特定手段が特定した譲渡遊技媒体数とを対比可能な状態の遊技者支援情報として遊技者向けに報知する報知手段と、
を備えたことを特徴とする遊技場用システム。
【請求項２】
遊技場側から貸し出された遊技媒体を使用して遊技を行う遊技機が複数台設置された遊技場用システムにおいて、
遊技者が獲得した遊技媒体のうち、当該遊技者が決定した任意の数の遊技媒体に対応した希望譲渡数を示す希望譲渡数情報を受け付ける受付手段と、
この受付手段が受け付けた希望譲渡数情報により示される希望譲渡数を譲渡遊技媒体数として特定する譲渡数特定手段と、
遊技場における遊技媒体の貸出単価及び景品交換単価のうち、少なくとも一方を特定可能な交換情報を記憶する交換情報記憶手段と、
前記譲渡数特定手段が特定した譲渡遊技媒体数と前記交換情報記憶手段が記憶する交換情報とに基づいた演算により、譲渡遊技媒体数に対応する貸出価額及び景品交換価額のうちの少なくとも一方を特定する基準価額特定手段と、
前記譲渡数特定手段が特定した譲渡遊技媒体数と前記交換情報記憶手段が記憶する交換情報とに基づいた演算により特定される推奨譲渡価額、及び遊技者の操作入力により基づいて特定される提示譲渡価額の少なくとも一方を譲渡価額として特定する譲渡価額特定手段と、
この譲渡価額特定手段により特定される譲渡価額と前記基準価額特定手段により特定される景品交換価額との差額に対応した譲渡元利益、及び、前記基準価額特定手段により特定される貸出価額と前記譲渡価額特定手段により特定される譲渡価額の差額に対応した譲渡先利益のうちの少なくとも一方である譲渡利益を特定する譲渡利益特定手段と、
前記譲渡価額特定手段が特定した譲渡価額と、前記譲渡利益特定手段が特定した譲渡利益とを対比可能な状態の遊技者支援情報として遊技者向けに報知する報知手段と、
を備えたことを特徴とする遊技場用システム。
【請求項３】
遊技媒体数を当該遊技媒体の持ち主と対応付けた状態の獲得数として記憶可能な獲得数記憶手段と、
この獲得数記憶手段に記憶された獲得数の少なくとも一部を特定可能な獲得数情報を記憶した記憶媒体を発行する発行手段と、
遊技者が獲得した遊技媒体を計数する計数手段と、
この計数手段が遊技媒体の計数を行った場合に、その計数結果を、前記獲得数記憶手段により記憶され、当該計数対象となった遊技媒体を獲得した遊技者を持ち主とした状態の獲得数に加算する一方、前記発行手段が前記記憶媒体を発行した場合に、その記憶媒体に記憶された獲得数情報により示される獲得数を前記獲得数記憶手段に記憶されている獲得数から減算する獲得数更新手段と、
前記記憶媒体に記憶された獲得数情報により特定される獲得数に対応した数の遊技媒体の少なくとも一部を遊技に使用できるように払い出す再遊技手段と、
を備え、
前記発行手段は、前記獲得数情報として前記譲渡数特定手段により特定された譲渡遊技媒体数を記憶した第１記憶媒体を発行すると共に、当該第１記憶媒体の発行後において前記獲得数記憶手段に記憶されている獲得数が残存する場合に、その残存獲得数を特定可能な情報を記憶した第２記憶媒体を発行可能に構成とされていることを特徴とする請求項１または２記載の遊技場用システム。
【請求項４】
遊技媒体の譲渡先となり得るメール送信対象者のＥメールアドレスを特定可能な入力操作を受け付ける譲渡先受付手段と、
前記譲渡数特定手段が特定した譲渡遊技媒体数、及び前記譲渡価額特定手段が特定した譲渡価額を含む送信文を作成する送信文作成手段と、
この送信文作成手段が作成した送信文を前記譲渡先受付手段が受け付けた入力操作により特定される前記メール送信対象者のＥメールアドレスへ送信する送信手段と、
を備えたことを特徴とする請求項１ないし３の何れかに記載の遊技場用システム。
【請求項５】
前記送信手段による前記送信文の送信先である譲渡先遊技者からの返信メールを受信する受信手段を備えた上で、
前記送信文作成手段を、前記譲渡数特定手段が特定した譲渡遊技媒体数を識別可能な情報である譲渡数識別情報が含まれる第２送信文を作成する構成とし、
前記送信手段を、前記受信手段による返信メールの受信、及び返信メールに基づく遊技者による指示入力を条件として前記送信文作成手段が作成した第２送信文を前記譲渡先遊技者のＥメールアドレスへ送信する構成とし、
前記獲得数更新手段を、前記送信手段が前記第２送信文を送信した場合に、当該送信文に含まれる譲渡数識別情報により示される譲渡遊技媒体数に応じた獲得数を前記獲得数記憶手段に記憶された獲得数から減算する構成とし、
前記第２送信文に含まれる譲渡数識別情報を受け付ける識別情報受付手段と、
この識別情報受付手段が受け付けた譲渡数識別情報により示される譲渡遊技媒体数を特定可能な情報を記憶した記憶媒体を発行する処理、或いは、当該譲渡遊技媒体数のうち、少なくとも一部を遊技に使用できるように払い出す処理を行う識別情報処理手段と、
を備えたことを特徴とする請求項４記載の遊技場用システム。
【請求項６】
遊技者が遊技場側に預けた獲得数である貯媒体数を遊技者毎に管理すると共に、遊技媒体の譲渡元遊技者のＥメールアドレス、及び前記送信手段による前記第２送信文の送信に応じて前記獲得数更新手段により減算される獲得数に相当した仮譲渡数を管理できる顧客管理手段を備え、
前記識別情報処理手段による処理が予め設定された期限内に実施されなかった場合に、
前記送信文作成手段は、遊技媒体の譲渡が成立しなかった旨を示す譲渡不成立送信文を作成し、
前記送信手段は、遊技媒体の譲渡元遊技者及び譲渡先遊技者の双方のＥメールアドレスへ前記譲渡不成立送信文を送信し、
前記顧客管理手段は、前記譲渡不成立送信文の送信に応じて前記前記仮譲渡数を前記譲渡元遊技者に係る貯媒体数へ移行させる処理を実行することを特徴とする請求項５記載の遊技場用システム。
【請求項７】
前記遊技機側から送信される遊技機の稼動状況を特定可能な遊技信号を受信する遊技信号受信手段と、
この遊技信号受信手段が受信した遊技信号に基づいて遊技機の稼動の有無を判定すると共に、稼動中と判定した遊技機の台数を稼動数として特定し、その稼動数が予め設定されたしきい値を超えた場合に、前記報知手段による報知動作、前記発行手段による前記第１記憶媒体の発行動作、及び前記送信手段によるＥメール送信動作のうちの少なくとも１つを、禁止する処理、或いは、譲渡元遊技者の譲渡益が零とならない範囲の手数料を前記獲得数更新手段により前記獲得数記憶手段が記憶する獲得数を減算して徴収することを条件として許容する処理を行う譲渡抑制手段と、
を備えたことを特徴とする請求項１ないし６の何れかに記載の遊技場用システム。
【請求項８】
前記譲渡数特定手段が特定した譲渡遊技媒体数に前記貸出単価を乗じた貸出価額及び前記譲渡遊技媒体数に前記景品交換単価を乗じた景品交換価額のうちの少なくとも一方を、前記譲渡数特定手段が特定した譲渡遊技媒体数と前記交換情報記憶手段が記憶する交換情報とに基づいた演算により特定する基準価額特定手段を備え、
前記譲渡価額特定手段は、前記基準価額特定手段により特定される貸出価額、景品交換額、或いは貸出価額と景品交換価額との和のうちの何れかに、所定の比率を乗じた値、或いは所定数を加減算した値を前記譲渡価額として特定するように、前記譲渡数特定手段が特定した譲渡遊技媒体数と前記交換情報記憶手段が記憶する交換情報とに基づいた演算により前記譲渡価額を特定することを特徴とする請求項１記載の遊技場用システム。
【発明の詳細な説明】
【技術分野】
【０００１】
本発明は、遊技者が獲得した遊技媒体を複数の遊技者同士で自由に共有できるようにした遊技場用システムに関する。
【背景技術】
【０００２】
従来、パチンコ遊技機やスロットマシンを設置した遊技場では、遊技者が獲得した遊技媒体である例えばパチンコ玉（持玉）を他の遊技者に譲渡することを認めていないのが一般的であったが、近年では、遊技場での遊技に対する興趣の増大及びこれに伴う集客力の向上を図るために、遊技者同士で持玉を自由に共有（貸し借り）できるようにし、以って複数の知り合い同士で遊技を楽しめるという持玉共有サービスを提供する遊技場が多くなってきている。このような持玉共有サービスを行うために、今日では、例えば、遊技機において遊技媒体を払い出さずに遊技媒体データ（クレジット）に変換する構成とした上で、譲渡元の遊技機で獲得した遊技媒体数データの一部を、譲渡先の遊技機に管理装置を介して送信することで、譲渡先の遊技機において当該譲渡された遊技媒体数データを使用しての遊技を可能にしたシステムが考えられている（特許文献１参照）。
【特許文献１】特開２００４−１４１５２４号公報
【発明の開示】
【発明が解決しようとする課題】
【０００３】
持玉共有サービスを行う意義は以下の通りである。即ち、遊技場では、所謂出玉が多い場合ほど集客力が上がるという傾向があるため出玉率を高めに設定しており、このような状態に対応するために、一般的に、遊技媒体を景品と交換するときの単価（景品交換単価）の方が、その貸出単価よりも低くなるように設定される。これにより、遊技者が獲得した持玉は、景品交換に供すると価値が下がるものであり、例えば、持玉を一旦景品交換して換金した後に、遊技媒体貸出機から新たに遊技媒体を借り受けて遊技を行うよりも、そのまま遊技を継続した方が遊技者にとって有利になる。このため、持玉がない遊技者は、遊技媒体貸出機から遊技媒体を借り受けるよりも、他の遊技者の持玉を貸出単価より低い単価で譲り受けた方が有利になり、また、持玉の譲渡元の遊技者も、その持玉を景品交換単価より高い単価で譲渡できるのであれば有利になる。このような遊技者同士間での持玉譲渡を許容した場合、一見したところ遊技場にとって不利益になるようでも、遊技者側の支持が得られて、集客力の向上ひいては遊技機の稼動率の向上を期待できるようになる。これにより、持玉共有サービスは、総合的に見た場合、遊技場の営業にとってプラスに働くと考えられている。
【０００４】
ところで、持玉を共有可能とした場合、その共有は、通常において、夫婦や親子或いは友人などのように互いに面識がある遊技者間で行われることになるため、持玉の譲渡時に対価を支払うことが想定されておらず、対価を支払うとしても、その精算は、例えば遊技終了後において景品交換が済んだ後に、遊技結果を踏まえた状態で実施されるものと考えられる。
【０００５】
一方、最近では、持玉を有した遊技者に対して、他の遊技者が持玉の譲渡を直接的に申し込むケース、つまり互いに面識がない遊技者間で持玉の譲渡を行うケースも多々見受けられる。このようなケースでは、持玉の譲渡時点で対価の支払いを行う必要が出てくるが、実際には、遊技媒体の景品交換単価が、遊技場毎に相違すると共に遊技機の機種によっても相違するという事情があるため、持玉の譲渡価額が適正であるか否かを、持玉の譲渡元及び譲渡先の双方とも判断し辛いものであり、このため、持玉の譲渡に関して遊技者側の利便性向上に繋がる何らかの支援が必要と考えられる。これに対して、特許文献１に見られるような従来のシステムでは、持玉の譲渡価額が適正であるか否かを遊技者側で容易に判断できないため、持玉共有サービスを展開する際に遊技者側の利便性を十分に高めることが困難になるものであり、結果的に、集客力の向上に伴う遊技機の稼動率向上という観点からは、所期の目的を十分に達成できないという問題点があった。
【０００６】
本発明は、上記のような事情に鑑みてなされたものであり、持玉共有サービスを展開する際に遊技者側の利便性を向上させることできて、遊技機の稼動率向上を実現可能となる遊技場用システムを提供することを目的とする。
【課題を解決するための手段】
【０００７】
請求項１記載の遊技場用システムによれば、遊技者が、その獲得遊技媒体を他の遊技者に譲渡することを希望する場合には、受付手段を通じて任意の数の遊技媒体に対応した希望譲渡数を希望譲渡数情報として受け付けてもらう。このような受付が行われると、譲渡数特定手段が、上記希望譲渡数情報により示される希望譲渡数を譲渡遊技媒体数として特定するようになる。交換情報記憶手段には、遊技場における遊技媒体の貸出単価及び景品交換単価のうち、少なくとも一方を特定可能な交換情報が記憶されており、譲渡価額特定手段は、上述のように譲渡数特定手段により特定された譲渡遊技媒体数と上記交換情報記憶手段に記憶されている交換情報とに基づいた演算により、当該譲渡遊技媒体数に相当した数の遊技媒体を遊技場側から貸出を受ける場合の貸出価額よりも低く、且つ当該譲渡遊技媒体数に相当した数の遊技媒体を景品と交換する場合の景品交換価額よりも高い価額となる譲渡価額を特定するようになる。
【０００８】
報知手段は、このように特定された譲渡価額と前記譲渡数特定手段が特定した譲渡遊技媒体数とを互いに対比可能な遊技者支援情報、つまり、遊技媒体の譲渡元の遊技者が希望する譲渡対象遊技媒体の数と、当該遊技媒体の適正な譲渡価額とを把握可能な遊技者支援情報として遊技者向けに報知する。従って、遊技媒体の譲渡元の遊技者は、このように報知される遊技者支援情報に基づいて、遊技媒体の適正な譲渡価額を容易に知ることができるようになる。これにより、持玉共有サービスを展開する際に遊技者側の利便性を向上させることでき、以って遊技機の稼動率向上を実現可能となる。
【０００９】
請求項２記載の遊技場用システムによれば、遊技者が、その獲得遊技媒体を他の遊技者に譲渡することを希望する場合には、受付手段を通じて任意の数の遊技媒体に対応した希望譲渡数を希望譲渡数情報として受け付けてもらう。このような受付が行われると、譲渡数特定手段が、上記希望譲渡数情報により示される希望譲渡数を譲渡遊技媒体数として特定するようになる。交換情報記憶手段には、遊技場における遊技媒体の貸出単価及び景品交換単価のうち、少なくとも一方を特定可能な交換情報が記憶されており、基準価額特定手段は、上述のように譲渡数特定手段により特定された譲渡遊技媒体数と上記交換情報記憶手段に記憶されている交換情報とに基づいた演算により、当該譲渡遊技媒体数に対応した貸出価額及び景品交換価額のうちの少なくとも一方を特定するようになる。また、譲渡価額特定手段は、前記譲渡数特定手段により特定された譲渡遊技媒体数と前記交換情報記憶手段に記憶されている交換情報とに基づいた演算により特定される推奨譲渡価額、及び遊技者の操作入力により基づいて特定される提示譲渡価額の少なくとも一方を譲渡価額として特定するようになる。さらに、譲渡利益特定手段は、譲渡価額特定手段により特定された譲渡価額と前記基準価額特定手段により特定された景品交換価額との差額に対応した譲渡元利益、及び、基準価額特定手段により特定された貸出価額と譲渡価額特定手段により特定された譲渡価額の差額に対応した譲渡先利益のうちの少なくとも一方である譲渡利益を特定するようになる。
【００１０】
報知手段は、このように特定された譲渡価額と譲渡利益とを互いに対比可能な遊技者支援情報、つまり、遊技媒体の譲渡元の遊技者が希望する数の譲渡対象遊技媒体の譲渡価額と、その譲渡が行われた場合における譲渡元遊技者側の利益及び譲渡先遊技者側の利益のうち少なくとも一方を示す譲渡利益とを把握可能な遊技者支援情報として遊技者向けに報知する。従って、遊技媒体の譲渡元の遊技者は、このように報知される遊技者支援情報に基づいて、遊技媒体の譲渡価額並びにそれぞれの利益を容易に知ることができるようになる。これにより、持玉共有サービスを展開する際に遊技者側の利便性を向上させることでき、以って遊技機の稼動率向上を実現可能となる。
【００１１】
請求項３記載の手段によれば、上述した請求項２記載の遊技場用システムにおいて、遊技媒体数を当該遊技媒体の持ち主と対応付けた状態の獲得数として記憶可能な獲得数記憶手段が設けられており、遊技者は、自身が獲得した遊技媒体を計数手段により計数させたときに、その計数結果を、前記獲得数記憶手段に対して、当該計数対象となった遊技媒体を獲得した遊技者を持ち主とした状態の前記獲得数として記憶させることができる。また、遊技者は、上述のように記憶された獲得数の少なくとも一部を特定可能な獲得数情報を記憶した記憶媒体を発行手段から発行させることができるものであり、このように記憶媒体が発行されたときには、獲得数更新手段が、その記憶媒体に記憶された獲得数情報により示される獲得数を前記獲得数記憶手段に記憶されている獲得数から減算するようになる。従って、遊技媒体の譲渡時には、上記記憶媒体を受け渡すだけで済んで、その譲渡を容易且つ正確に行い得るようになり、遊技者を支援するシステムとしての付加価値が高まることになる。そして、遊技場用システムは、記憶媒体に記憶された獲得数情報により特定される獲得数に対応した数の遊技媒体の少なくとも一部を遊技に使用できるように払い出す再遊技手段を備えているから、遊技者は、自身の獲得遊技媒体を再遊技可能な状態で遊技場側に一時的に預けた状態にできる。
【００１２】
この場合、前記発行手段は、前記獲得数情報として前記譲渡数特定手段により特定された譲渡遊技媒体数（遊技者の希望譲渡数を示す）を記憶した第１記憶媒体を発行すると共に、当該第１記憶媒体の発行後において前記獲得数記憶手段に記憶されている獲得数が残存する場合に、その残存獲得数を特定可能な情報を記憶した第２記憶媒体を発行可能な構成となっている。つまり、遊技者の希望譲渡数に対応した獲得数情報のみを記憶した第１記憶媒体を発行できるようになるから、遊技媒体の譲渡を一段と正確に行い得るようになる。また、譲渡元遊技者は、再遊技手段を利用することにより、第２記憶媒体に記憶された獲得数に対応した数の遊技媒体（譲渡せずに残った遊技媒体）を、遊技場内の遊技機での再遊技に使用できるようになり、その利便性を高めることができる。
【００１３】
請求項４記載の遊技場用システムによれば、前記譲渡数特定手段が特定した譲渡遊技媒体数、及び前記譲渡価額特定手段が特定した譲渡価額を含む送信文を作成する送信文作成手段が設けられており、作成された送信文は、遊技媒体の譲渡先となり得るメール送信対象者のＥメールアドレスに対して送信手段により送信できるようになっている。これにより、遊技場に来店していない人に向けて遊技場への来店を促すシステムを提供可能になる。この場合、上記送信文の送信先となる人は、遊技媒体の譲渡元遊技者がＥメールアドレスを把握した状態の親しい関係にあると考えられるので、遊技場から来店勧誘のためのＥメールを送信する場合よりも高い勧誘効果が得られるものであり、以って集客力の向上を期待できるようになる。
【００１４】
請求項５記載の遊技場用システムによれば、前記送信手段による前記送信文の送信先である譲渡先遊技者からの返信メールを受信する受信手段が設けられる。そして、前記送信文作成手段は、前記譲渡数特定手段が特定した譲渡遊技媒体数を識別可能な情報である譲渡数識別情報が含まれる第２送信文を作成するようになっており、当該第２送信文は、前記受信手段による返信メールの受信を条件として前記譲渡先遊技者のＥメールアドレスへ前記送信手段により送信される。また、前記獲得数更新手段は、前記送信手段が前記第２送信文を送信した場合に、当該送信文に含まれる譲渡数識別情報により示される譲渡遊技媒体数に応じた獲得数を前記獲得数記憶手段に記憶された獲得数から減算するようになる。
【００１５】
この場合、第２送信文に含まれる譲渡数識別情報は、識別情報受付手段で受け付け可能であり、識別情報処理手段は、このような受け付けが行われた場合に、当該譲渡数識別情報により示される譲渡遊技媒体数を特定可能な情報を記憶した記憶媒体を発行する処理、或いは、当該譲渡遊技媒体数のうち、少なくとも一部を遊技に使用できるように払い出す処理を行うようになる。この結果、譲渡先遊技者は、Ｅメールの受信及び返信操作を行うだけで、譲渡された遊技媒体を使用した遊技が可能になるものであり、これにより遊技者にとっての利便性を大幅に高め得るようになる。
【００１６】
請求項６記載の遊技場用システムによれば、遊技者が遊技場側に預けた獲得数である貯媒体数を遊技者毎に管理すると共に、遊技媒体の譲渡元遊技者のＥメールアドレス、及び前記送信手段による前記第２送信文の送信に応じて前記獲得数更新手段により減算される獲得数に相当した仮譲渡数を管理できる顧客管理手段が設けられる。この場合、前記送信文作成手段は、前記識別情報処理手段による処理が予め設定された期限内に実施されなかった場合に、遊技媒体の譲渡が成立しなかった旨を示す譲渡不成立送信文を作成するようになり、その譲渡不成立送信文は、遊技媒体の譲渡元遊技者及び譲渡先遊技者の双方のＥメールアドレスへ前記送信手段により送信される。
【００１７】
このような送信が行われた場合、前記顧客管理手段は、前記仮譲渡数を前記譲渡元遊技者に係る貯媒体数へ移行させる処理を実行するようになる。この結果、Ｅメールを受信した譲渡先遊技者が遊技場に来店しなかった場合、或いは来店した譲渡先遊技者が譲渡された遊技媒体を使用した再遊技を行わなかった場合であっても、遊技者間で損失が発生することがなくなり、しかも、遊技媒体の譲渡が不成立であった旨を、譲渡元遊技者及び譲渡先遊技者の双方に送信されたＥメールの内容により証明できるので、遊技者間でトラブルが発生する事態を極力防止できるようになる。
【００１８】
請求項７記載の遊技場用システムによれば、遊技信号受信手段が前記遊技機側から送信される遊技機の稼動状況を特定可能な遊技信号を受信した場合、譲渡抑制手段が、当該遊技信号に基づいて遊技機の稼動の有無を判定すると共に、稼動中と判定した遊技機の台数を稼動数として特定し、その稼動数が予め設定されたしきい値を超えた場合に、前記報知手段による報知動作、前記発行手段による前記第１記憶媒体の発行動作、及び前記送信手段によるＥメール送信動作のうちの少なくとも１つを禁止する処理、或いは、譲渡元遊技者の譲渡益が零とならない範囲の手数料を、前記獲得数更新手段により前記獲得数記憶手段が記憶する獲得数を減算して徴収することを条件として許容する処理を行うようになる。この結果、遊技場に設置された遊技機の稼動数が相対的に多い場合に、遊技場側の損失が無闇に増大する事態を未然に防止できるようになる。また、譲渡先遊技者が、譲渡された遊技媒体を使用して再遊技を行う場合に、遊技対象の候補となる遊技機がなくなる事態を未然に防止できる。さらに、遊技媒体の譲渡時に手数料を徴収する構成とした場合において、その手数料の額が、譲渡元遊技者の譲渡利益が零とならない程度に抑制可能になるため、遊技場側の損失を極力低減しながら遊技者間での遊技媒体の譲渡を奨励できるようになり、システム自体の付加価値を向上させ得る。
【００１９】
請求項８記載の手段によれば、譲渡価額の特定のために種々の演算方法を採用できるものであり、実際にシステムを構築する上で便利になる。
【発明を実施するための最良の形態】
【００２０】
以下、本発明の一実施例について図面を参照しながら説明する。尚、本実施例では、遊技場でのパチンコ玉（遊技媒体に相当）の貸出単価を４円、パチンコ玉を景品と交換する際の景品交換単価を２円に設定した遊技場用システムを前提としている。
図１には遊技場用システムの概略的構成が示されている。この図１において、遊技場内に多数台ずつ設置されたパチンコ遊技機１及び台間貸出機２は、互いに隣接して配置されており、図示しないが、パチンコ遊技機１の上方には周知構成の呼出ランプユニットが設けられている。
【００２１】
パチンコ遊技機１は、所謂デジパチとして周知構成のものであり、パチンコ玉を使用しての遊技中において、盤面１ａに設けられたスタート入賞口１ｂへの入賞に応じて行われる抽選機能により大当たりに当選したときに、その大当たりの内容に応じて、入賞確率を大幅に高めた大当たり状態を呈する。尚、大当たり状態となったときには、盤面１ａに設置された大入賞口１ｃが所定期間だけ動作するものであり、これに応じて入賞率が極端に高められる構成となっている。また、盤面１ａには、抽選結果の表示を含む種々の演出表示を行うため表示ユニット１ｄが設けられている。
【００２２】
パチンコ遊技機１においては、賞球としてのパチンコ玉を上皿３へ放出するようになっており、この上皿３が満杯となったときにはオーバーフローしたパチンコ玉が下皿４内へ流入する。尚、上皿３内のパチンコ玉は、レバー３ａのスライド操作によっても下皿４内へ落下させ得るようになっている。一方、下皿４にもレバー４ａが設けられており、このレバー４ａがスライド操作されたときには、下皿４の底部に形成された落下口（図示せず）が開放されて内部のパチンコ玉が可動玉受皿５ａを備えた案内管５内に流入する構成となっている。
【００２３】
パチンコ遊技機１には、これに付随してアウト玉回収装置及びセーフ玉補給装置（何れも図示せず）が設置されており、アウト玉回収装置からは、アウト玉数（打込玉数）を示すアウト信号が遊技信号として出力され、セーフ玉補給装置からは、セーフ玉数（払出玉数）を示すセーフ信号が遊技信号として出力される構成となっている。また、パチンコ遊技機１は、大当たり抽選を行ったことを示すスタート信号、大当たり状態にあることを示す大当たり信号などの遊技信号も出力するように構成されている。
【００２４】
パチンコ遊技機１、台間貸出機２、図示しない呼出ランプユニットと信号の授受を行うように接続された中継装置６は、コンピュータにより構成された管理装置７（顧客管理手段、遊技信号受信手段に相当）に店内ＬＡＮ８を介して接続されており、これにより管理装置７は、遊技場内の全てのパチンコ遊技機１、台間貸出機２、呼出ランプユニットとの間で各種信号及びデータの送受信を行い得るようになっている。尚、図示しないが、店内ＬＡＮ８には、カード発行装置９が接続されると共に、周知構成の遊技場用端末装置（遊技者向けの種々のデータを表示するための集中情報公開端末（例えばデータロボ（登録商標））、遊技者の獲得パチンコ玉を計数するためのパチンコ玉計数機、景品交換に使用するためのＰＯＳ端末など）も接続される。
【００２５】
特に、カード発行装置９は、その前面側に、２次元コード（譲渡数識別情報に相当：本実施例ではＱＲコード（登録商標））が近接された状態で当該２次元コードを読み取る機能を備えた読取部９ａ（識別情報受付手段に相当）と、持玉カード（記憶媒体に相当）を発行するための図示しないカードユニット（発行手段に相当）のためのカード排出口９ｂとが設けられている。尚、この持玉カードは、例えば磁気カード或いはＩＣカードのようなデータ書き換え可能な記憶媒体により構成されたものであり、後述の説明によって明らかとなるように、持玉数を特定可能な獲得数情報に相当する情報が記憶される構成となっている。
【００２６】
図示しないが、上記カード発行装置９内には、その動作制御用の処理回路ユニット（識別情報処理手段に相当）が設けられており、この処理回路ユニットは、前記読取部９ａにより読み取った２次元コードの解読及び検証を行う機能、その解読結果に基づいて前記図示しないカードユニットによる持玉カードの発行処理を制御する機能などを備えた構成となっている。
【００２７】
台間貸出機２は、硬貨投入口１０への硬貨の投入に応じてパチンコ玉を放出する基本機能を備えたものであるが、ＣＰＵ（譲渡数特定手段、基準価額特定手段、譲渡価額特定手段、譲渡利益特定手段、獲得数更新手段、送信文作成手段に相当）、ＲＡＭ、ＲＯＭ及びハードディスクドライブなどを含んで構成された記憶部（交換情報記憶手段、獲得数記憶手段に相当）、入出力インタフェース（送信手段、受信手段に相当）を含んで構成された制御装置（図示せず）を内蔵しており、この制御装置により本発明の要旨に関係した後述のような種々の制御を実行するようになっている。
【００２８】
台間貸出機２の前面側には、前記硬貨投入口１０の他に、表示領域の全面にタッチスイッチパネル（図示せず）が形成された情報表示部１１（受付手段、報知手段、譲渡先受付手段に相当）、玉貸ボタン１２、パチンコ玉放出用のノズル１３、図示しないカード返却スイッチを備えたカード挿入スロット１４、カード発行スロット１５、前記案内管５の基部が連結された計数機ユニット１６（計数手段に相当）が設けられている。
【００２９】
この場合、ノズル１３は、台間貸出機２内に設けられた玉放出機構（図示せず）と共に本発明でいう再遊技手段を構成するものであり、先端がパチンコ遊技機１の上皿３に上方から臨む通常位置（玉放出機構から放出されたパチンコ玉を上皿３内に導く位置）と、前方に回動された退避位置との間で往復回動可能に設けられており、常時においては図示しないばね手段によって通常位置へ付勢されている。
【００３０】
また、計数機ユニット１６は、案内管５を通じて流入するパチンコ玉を計数する玉計数機（図示せず）を内蔵しており、その計数結果、つまり遊技者がパチンコ遊技機１での遊技により獲得したパチンコ玉である持玉の数が、前記制御装置の記憶部に対して持玉数（遊技媒体の持ち主と対応付けた状態の獲得数に相当）として記憶される構成となっている。尚、案内管５は、先端側の可動玉受皿５ａがパチンコ遊技機１の下皿４に形成された図示しない落下口に下方から臨む通常位置（下皿４から落下するパチンコ玉を可動玉受皿５ａにより受け止める位置）と、前方に回動された退避位置との間で往復回動可能に設けられており、常時において通常位置に固定されている。
【００３１】
この場合、台間貸出機２内の制御装置は、記憶部に持玉数が記憶されている状態では、玉貸ボタン１２が操作される毎に所定個数（例えば、持玉数が１２５個以上ある場合には１２５個、持玉数が１２５個未満の場合には当該持玉数）のパチンコ玉を前記玉放出機構からノズル１３を通じて放出させると共に、上記持玉数を当該放出パチンコ玉に応じた数だけ減算するという持玉払出制御を行う構成となっている。
【００３２】
前記図示しないカードユニットは、台間貸出機２内における前記カード発行スロット１５と対応した位置に設けられており、前記持玉カードを所定枚数だけ保管可能なカードストッカ（図示せず）を備えた構成となっている。そして、制御装置は、常時において、情報表示部１１上にメインメニュー画面（図示せず）を表示すると共に、このメニュー画面上に前記図示しないタッチスイッチパネルを利用した遊技終了スイッチを形成しており、記憶部に持玉数が残存している状態で当該遊技終了スイッチがタッチ操作されたときには、その持玉数（つまり、残存獲得数）を上記獲得数情報として記憶すると共に、当該持玉カードをカード発行スロット１５から排出（発行）し、記憶部中の持玉数を初期化する構成となっている。
【００３３】
また、制御装置は、その記憶部に持玉数が記憶されている状態で情報表示部１１を通じた後述のような持玉譲渡のためのカード発行操作が行われたときに、その操作に応じて指定された譲渡対象の持玉数を上記持玉カードに獲得数情報として記憶すると共に、当該持玉カードをカード発行スロット１５から排出（発行）し、記憶部中の持玉数を持玉カードに記憶した分だけ減少させる構成となっている。
【００３４】
台間貸出機２内には、カード挿入スロット１４を通じて挿入された持玉カード及び会員カードにアクセス可能なリーダライタ（図示せず）が設けられている。尚、この会員カードは、遊技場の遊技会員となった人に発行されるもので、例えば磁気カード或いはＩＣカードのようなデータ書き換え可能な記憶媒体により構成され、当該遊技会員に固有の会員ＩＤなどが予め記憶されている。
【００３５】
そして、制御装置は、カード挿入スロット１４に持玉カードが挿入されたときに、その持玉カードに記憶されている獲得数情報に応じた持玉数を記憶部に記憶すると共に、持玉カードを初期化した後に前記カードストッカに回収する。このように持玉数が記憶部に記憶された状態では、玉貸ボタン１２の操作に応じた前述の払出制御を実行させること可能になるから、結果的に持玉カードを利用した再遊技が可能になるものである。尚、前記ＰＯＳ端末は、持玉カードに記憶されている獲得数情報を読み取り可能に構成されており、その読み取り結果に基づいた景品交換を実施可能な構成とされている。
【００３６】
また、制御装置は、カード挿入スロット１４に会員カードが挿入されたときに、その会員カードに記憶されている会員ＩＤを前記リーダライタにより読み取ることによりカード受付を行うと共に、当該会員ＩＤを管理装置７へ送信することにより、管理装置７側で行われる遊技会員の個人認証や当該遊技会員に係る遊技データ提供サービス、周知の貯玉口座管理サービス、及び本発明に関係した持玉共有サービスのためのデータ管理に供するようになっている。
【００３７】
上記制御装置は、カード挿入スロット１４に適正な会員カードが挿入され、尚且つその会員カードに対応した貯玉口座に貯玉数（遊技者が遊技場側に預けた獲得数である貯媒体数に相当）の残高がある状態では、玉貸ボタン１２が操作される毎に所定個数（例えば、貯玉数が１２５個以上ある場合には１２５個、貯玉数が１２５個未満の場合には当該貯玉数）のパチンコ玉を前記玉放出機構からノズル１３を通じて放出させると共に、貯玉口座中の貯玉残高を当該放出パチンコ玉に応じた数だけ減算するという貯玉払出制御を行う構成となっている。尚、このような貯玉払出制御は、管理装置７側の貯玉口座に直接的にアクセスすることにより行うことも可能であるが、貯玉口座の貯玉数を持玉数として記憶部に一旦移管し、その持玉数に基づいて行う構成であっても良い。このような構成とした場合、遊技機での遊技終了時に持玉数が残ったときに、その持玉数を獲得数情報として記憶した持玉カードの発行を受ける状態、或いは持玉数を貯玉口座に戻す状態（但し、カード挿入スロット１４に適正な会員カードが挿入されていることが前提となる）の何れかを遊技者側で選択できる構成とすることが望ましい。
【００３８】
さて、以下においては、制御装置による制御内容のうち、本発明の要旨に直接関係した持玉共有サービスの具体例について、これに関連した構成などと共に説明する。
管理装置７は、遊技場内の全部のパチンコ遊技機１についての遊技データ（アウト玉数、セーフ玉数、差玉数、稼動率、出玉率、ベース、スタート数など）、並びに遊技場内の全部の台間貸出機２についての貸出高データ（売上金額、割数など）を集計して格納するデータベース機能や、前記貯玉口座管理サービスを含む貯玉システムなどを実現するための機能を備えたものであるが、この管理装置７には、図２に示すような遊技会員データベースが構築されており、このデータベースを持玉共有サービス及び貯玉システムに利用する構成となっている。
【００３９】
図２において、遊技会員データベースは、会員ＩＤと対応付けた状態で、遊技会員の氏名、貯玉口座の貯玉数、端末ＩＤ（会員カードを受け付けた台間貸出機２毎に固有の番号）、遊技会員のＥメールアドレス（本実施例では、携帯電話機のＥメールアドレスであり、以下の説明で出現するＥメールアドレスも同じである）、予め登録された友人・知人などのグループメンバーの氏名及びそのＥメールアドレス（図２では「グループメンバー１」、「グループメンバー２」などとして分類）、持玉の譲渡先の氏名（または譲渡先のメールアドレス）及び譲渡持玉数に対応した仮譲渡数を示す情報（図２では「仮譲渡分１」、「仮譲渡分２」などとして分類）を記憶したレコード群により構成される。
【００４０】
遊技者が自身の持玉の譲渡を希望する場合には、以下のようなカード発行操作を行う。尚、この操作に伴う各部の動作は、前記制御装置により制御されることは勿論である。
即ち、台間貸出機２の情報表示部１１には、その表示画像及び前記図示しないタッチスイッチパネルを利用して種々のスイッチ機能が実現されるものであり、当該情報表示部１１に図示しないメインメニュー画面が表示された状態で、当該画面中に用意された「譲渡スイッチ」がタッチ操作されたときには、図３に示すような譲渡数入力画面が表示される構成となっている。
【００４１】
この譲渡数入力画面には、そのタイトルａ１、現在の持玉数を報知すると共に希望する譲渡数の入力を促すメッセージａ２、譲渡数の入力に使用されるテンキースイッチａ３及び「玉」の文字が施された確定スイッチａ４、入力された譲渡数を表示するための表示欄ａ５（この時点では空欄）、譲渡数に対応した貸出金額（当該譲渡数に対応した数のパチンコ玉を台間貸出機２から放出させるときに必要な金額に相当）を表示するための表示欄ａ６（この時点では空欄）、譲渡数に対応した景品交換金額（当該譲渡数に対応した数のパチンコ玉を景品と交換する際の価額に相当）を表示するための表示欄ａ７（この時点では空欄）、持玉譲渡に係る情報を表示するための情報提示欄ａ８、キャンセルスイッチａ９が表示される。尚、上記テンキースイッチａ３、確定スイッチａ４及びキャンセルスイッチａ９に対応した各領域には、タッチパネルスイッチによるスイッチ機能が付与される。また、情報提示欄ａ８の具体的内容は、後述の図４に基づいて説明するが、この譲渡数入力画面の表示状態では空欄のままである。
【００４２】
上記譲渡数入力画面において、譲渡元遊技者により、テンキースイッチａ３及び確定スイッチａ４による希望譲渡数（譲渡遊技媒体数に相当）の入力操作が行われると、その希望譲渡数が希望譲渡数情報として受け付けられる。また、制御装置が、受け付けられた希望譲渡数情報により示される希望譲渡数を譲渡遊技媒体数として特定するようになり、これに応じて情報表示部１１の表示画面を図４に示すような提示額入力画面に切り換える。尚、入力可能な希望譲渡数の最大値は、制御装置の記憶部に記憶されている持玉数に対応した値となるように制御される。また、上述のような希望譲渡数の入力操作が行われる前にキャンセルスイッチａ９がタッチ操作されたときには、図示しないメインメニュー画面へ戻る。
【００４３】
ここで、台間貸出機２内の制御装置を構成する記憶部には、遊技場におけるパチンコ玉の貸出単価及び景品交換単価の双方を特定可能な交換情報が記憶されている。尚、上記貸出単価及び景品交換単価は、管理装置７側で設定されるものであり、その設定情報が、台間貸出機２、カード発行装置９及び図示しないＰＯＳ端末などの遊技場用端末装置に送信され、それらにおいて上記交換情報として記憶されるものである。
【００４４】
そして、制御装置は、希望譲渡数の入力操作が上述のように行われたときには、その希望譲渡数と上記交換情報とに基づいた演算により、当該希望譲渡数に対応した例えば３段階の提示額（請求項１記載の発明でいう適正な譲渡価額、請求項２記載の発明でいう推奨譲渡価額に相当）を譲渡価額として特定すると共に、希望譲渡数に相当した数のパチンコ玉を台間貸出機２から受ける場合の貸出金額（請求項２記載の発明でいう貸出価額に相当）、及び希望譲渡数に相当した数のパチンコ玉を景品と交換する場合の景品交換金額（請求項２記載の発明でいう景品交換価額に相当）を特定する構成となっている。
【００４５】
ここで、上記適正譲渡価額の特定方法について説明する。
即ち、図１２には、例えば２０００個のパチンコ玉を譲渡する場合の提示額の例が、複数種類の貸出単価及び景品交換単価の組み合わせ、並びに、該当単価でのパチンコ玉の貸出金額及び景品交換金額に対応させた状態で示されている。尚、この図１２において、「元差益」は譲渡元利益に相当し、「先差益」は譲渡先利益に相当する。また、本実施例では、貸出単価を４円、景品交換単価を２円に設定してから、図１２の最上段の提示額のみを利用すれば済むが、実際には、遊技場毎或いはパチンコ遊技機の機種毎に貸出単価及び景品交換単価が種々設定されるものであるため、図１２ではそれらの単価に係る複数種類の組み合わせについて提示額の例を示している。
【００４６】
図１２において、本実施例では、３段階の「提示額１」、「提示額２」、「提示額３」、並びにこれらに対応した譲渡利益である譲渡元利益（提示額と景品交換金額（譲渡数×景品交換単価＝２０００個×２円）との差額）及び譲渡先利益（貸出金額（譲渡数×貸出単価＝２０００個×４円）と提示額との差額）を、以下の条件で特定するようにしている。即ち、「提示額１」は、譲渡元利益（図１２では元差益）及び譲渡先利益（図１２では先差益）が等しくなる価額（提示額１＝（貸出金額＋景品交換金額）÷２）として算出し、「提示額２」は、譲渡元利益が「提示額」の１．５倍、「提示額３」は、譲渡元利益が「提示額１」の０．５倍になる価額として算出している。尚、図１２の例では、譲渡元利益に１０円未満の端数が出る場合には、１０円単位で切り上げることにより遊技者側に有利になるように設定している。
【００４７】
この場合、提示額の算出は、譲渡パチンコ玉数、貸出金額、或いは景品交換金額に所定の係数を乗算することにより行ったり、貸出金額、或いは景品交換金額に所定値を加減算することにより行ったりするなど、種々の方法が考えられる。また、提示額を特定する場合に、貸出金額よりも低く、且つ景品交換金額よりも高いことを条件の一つとしても良い。
【００４８】
さらに、提示額は、貸出金額のみ、或いは景品交換金額のみに基づいて特定しても良い。この場合、台間貸出機２内の制御装置を構成する記憶部に対して、パチンコ玉の貸出単価及び景品交換単価の双方を特定できる交換情報を記憶する必要はなく、それら貸出単価及び景品交換単価のうちの一方を特定できる交換情報を記憶する構成としても良いものである。
【００４９】
また、貸出単価に対する景品交換単価の割合などのような、貸出金額と景品交換金額との割合を示す交換率を前記交換情報として記憶する構成としても良い。このような構成によれば、貸出単価に交換率を乗じれば景品交換単価を特定できるようになり、また、貸出単価は、直接的に特定できなくても例えば所定金額（１０００円）に対応する貸玉数（２５０個）を特定できれば特定可能である。また、景品交換単価を直接的に特定しなくとも、貸出金額に交換率を乗じれば景品交換金額を間接的に特定できる。即ち、交換情報は、貸出単価、或いは景品交換単価を特定できる情報であるが、遊技場用システムとしては必ずしも貸出単価や景品交換単価を特定する必要はないものである。尚、上記のように、貸出金額や景品交換金額は譲渡数に単価を乗じた値になるが、交換情報に基づいて適当な演算方法を採用すれば良い。また、提示額（譲渡価額）については、上述したどのような演算方法を用いても、結果として、貸出金額、景品交換金額、或いは貸出金額と景品交換金額の和の何れかに所定の比率を乗じた値、或いは所定数を加算した値となるため、本願の請求項８記載は、このように提示額を特定する内容を包含したものとした。
【００５０】
図４の提示額入力画面には、そのタイトルｂ１、入力提示額の決定を促すメッセージｂ２、提示額の入力に使用されるテンキースイッチｂ３及び「円」の文字が施された確定スイッチｂ４、前記譲渡数入力画面で入力された希望譲渡数を表示した表示欄ｂ５、希望譲渡数に基づいて前述のように算出した貸出金額及び景品交換金額をそれぞれ表示した表示欄ｂ６及びｂ７、持玉譲渡に係る情報を表示した情報提示欄ｂ８、この情報提示欄ｂ８に表示された３段階の提示額の中から１つを選択するための選択スイッチｂ９群、希望譲渡数を記憶した持玉カードの発行の有無を確認するためのメッセージｂ１０、「ＹＥＳ」の文字が施された持玉カード発行用の認証スイッチｂ１１、キャンセルスイッチｂ１２、希望譲渡数を再入力するときに使用する譲渡数再入力スイッチｂ１３、「メール」の文字が施されたＥメール発信用のメール送信画面選択スイッチｂ１４が表示される。但し、メール送信画面選択スイッチｂ１４は、カード挿入スロット１４に挿入された会員カードの受付が済んでいる状態時のみ表示される。尚、上記テンキースイッチｂ３、確定スイッチｂ４、選択スイッチｂ９、認証スイッチｂ１１、キャンセルスイッチｂ１２、譲渡数再入力スイッチｂ１３及びメール送信画面選択スイッチｂ１４に対応した各領域には、タッチパネルスイッチによるスイッチ機能が付与される。
【００５１】
ここで、上記情報提示欄ｂ８には、前記３段階の提示額が「提示１」、「提示２」、「提示３」の各欄に表示されると共に、各提示額で希望譲渡数に応じた持玉を譲渡した場合の譲渡元遊技者の利益及び譲渡先遊技者の利益がそれぞれ「貴方の利益」及び「相手の利益」として表示される。また、情報提示欄ｂ８には、譲渡元遊技者が譲渡価額（請求項２記載の発明でいう提示譲渡価額に相当）を直接的に入力するための「入力提示」欄が設けられているが、この「入力提示」欄は、提示額入力画面の初期表示状態では空欄である。
要するに、提示額入力画面には、希望譲渡数、これに対応した適正な譲渡価額（提示額）、譲渡元利益及び譲渡先利益を互いに対比可能な情報を含む遊技者支援情報が、持玉の譲渡元遊技者向けに表示されるものである。
【００５２】
譲渡元遊技者は、選択スイッチｂ９の何れかをタッチ操作することにより、情報提示欄ｂ８の「提示１」、「提示２」、「提示３」欄に表示された３段階の提示額（譲渡価額）の中から任意のものを選ぶことができるものであり、このような選択操作が行われたときには、選択された提示額、譲渡元遊技者の利益及び譲渡先遊技者の利益が、情報提示欄ｂ８の「入力提示」欄に表示される。また、譲渡元遊技者が、上記３段階の提示額と異なる譲渡価額を提示する場合には、その提示譲渡価額をテンキースイッチｂ３により入力した後に確定スイッチｂ４をタッチ操作する。すると、入力された提示譲渡価額で並びにこれに対応する譲渡元遊技者の利益及び譲渡先遊技者の利益が、「入力提示」欄に表示されるようになる。
【００５３】
情報提示欄ｂ８の「入力提示」欄に提示額などが表示された状態で、認証スイッチｂ１１がタッチ操作されると、制御装置は、当該「入力提示」欄に表示されている提示額に対応した数の持玉数を記憶した持玉カードをカード発行スロット１５から発行すると共に、その制御装置の記憶部に記憶されている持玉数から、上記持玉カードに記憶した持玉数相当分だけ減算する。このようなカード発行操作に応じて発行された持玉カードは、遊技場内の他の遊技者に直接的に持玉を譲渡する際に利用できるものであり、この場合には、パチンコ玉自体を持ち運ぶ必要がなくなるから、双方の遊技者にとって便利になる。
【００５４】
尚、認証スイッチｂ１１の操作に応じた持玉カードの発行前に譲渡数再入力スイッチｂ１３が操作されたときには、既入力されている希望譲渡数がリセットされると共に、図３の譲渡数入力画面を表示した状態に戻る。また、認証スイッチｂ１１の操作に応じた持玉カードの発行前にキャンセルスイッチｂ１２がタッチ操作されたときには、図示しないメインメニュー画面へ戻る。
【００５５】
一方、情報提示欄ｂ８の「入力提示」欄に提示額などが表示された状態で、メール送信画面選択スイッチｂ１４がタッチ操作されたときには、情報表示部１１に図５に示すようなメール送信画面が表示される。このメール送信画面には、そのタイトルｃ１、前記譲渡数入力画面で入力された希望譲渡数を表示した表示欄ｃ２、前記提示額入力画面で選択された提示額（情報提示欄ｂ８の「入力提示」欄に表示された提示額）を表示した表示欄ｃ３、持玉譲渡に係る情報を提示額入力画面と同様に表示した情報提示欄ｃ４、メール送信先（メール送信対象者に相当）の選択を促すメッセージｃ５、送信可能人数を表示するための人数表示欄ｃ６、前述したグループメンバー（図２参照：「グループメンバー１」、「グループメンバー２」、「グループメンバー３」がそれぞれ友人Ａ、Ｂ、Ｃに相当）をＥメールの送信先として選択するための選択スイッチｃ７群、送信先メールアドレスを直接入力するモードを選択するための直接入力スイッチｃ８、選択或いは入力されたメール送信先の人数を送信対象者として表示すると共に、メールを受信した人全員が持玉の譲渡を受託したときに必要となる持玉数の合計を譲渡玉合計として表示するための情報表示欄ｃ９、譲渡メール（持玉の譲渡を案内するためのメールであり、請求項４記載の発明でいう送信文に相当）の送信の有無を確認するためのメッセージｃ１０、「ＹＥＳ」の文字が施された送信スイッチｃ１１、「戻る」の文字が施されたやり直しスイッチｃ１２が表示される。尚、上記選択スイッチｃ７、直接入力スイッチｃ８、送信スイッチｃ１１、やり直しスイッチｃ１２、譲渡数再入力スイッチｂ１３及びメール送信画面選択スイッチｂ１４に対応した各領域には、タッチパネルスイッチによるスイッチ機能が付与される。
【００５６】
この場合、人数表示欄ｃ６に表示される送信可能人数は、譲渡元遊技者の持玉数と希望譲渡数とに基づいて決まること（つまり、送信可能人数×希望譲渡数≦持玉数であることが条件）になるが、最大人数は例えば４人（グループメンバー３人と送信先メールアドレスを直接入力した１人）に設定されている。また、選択スイッチｃ７は、その操作により譲渡メールの送信先が選択されたときに、当該送信先が選択済みである旨を表示するために反転表示状態（図５に網掛けにより例示）とされる。
【００５７】
図示しないが、情報表示部１１には、直接入力スイッチｃ８がタッチ操作されたときに、英数文字を入力可能なキーボードを表示したメールアドレス入力画面が表示されるものであり、この画面でメールアドレスの入力が完了したときには、図５のメール送信画面を表示した状態に戻ると共に、当該直接入力スイッチｃ８を反転表示状態（図５に網掛けにより例示）とするものである。
【００５８】
そして、情報表示欄ｃ９には、選択スイッチｃ７により選択されたメール送信先及び上記メールアドレス入力画面を通じて入力されたメール送信先の合計人数（図５の例では２人）が送信対象者数として表示されると共に、これらの送信対処者にパチンコ玉を譲渡する場合に必要となる持玉数の合計（図５の例では４０００個）が表示されるものである。
【００５９】
このようなメール送信対象者の選択或いは入力状態から、送信スイッチｃ１１がタッチ操作されたときには、制御装置は、予め設定された雛形の文章データ、図２に示した遊技会員データベースを参照して得られるメール送信対象者及び譲渡元遊技者（会員カードが受け付け済みの遊技会員）に係るデータ、希望譲渡数及び既決定の入力提示額を示すデータなどに基づいて譲渡メールを作成し、この譲渡メールを当該メール送信対象者に向けて送信する処理を行う。具体的には、この譲渡メールは、例えば図６に示すように、現在遊技中の遊技場名や希望譲渡数及びその譲渡価額などを含んだ内容とされる。但し、図６は「友人Ａ」宛ての例で、「ａａａ」は譲渡元遊技者の名前、「Ｐ」は遊技場の固有名称である。
【００６０】
要するに、持玉の譲渡元遊技者に係る希望譲渡数、これに対応した適正譲渡価額、及び持玉の譲渡先利益を互いに対比可能な情報を含む遊技者支援情報が、譲渡メールを通じて譲渡先遊技者向けに表示されるものである。
【００６１】
また、送信スイッチｃ１１が操作されることなく、やり直しスイッチｃ１２がタッチ操作されたときには、図４の提示額入力画面を表示した状態に戻る。
上述のように送信された譲渡メールの受信者からの返信メールを受信した場合には、情報表示部１１に図７に示すようなメール受信画面が表示される。このメール受信画面には、そのタイトルｄ１、返信されたメールの内容ｄ２、送信メール中の希望譲渡数及び提示額をそれぞれ表示した表示欄ｄ３及びｄ４、譲渡確定メール（持玉の譲渡を確定させるためのメールであり、請求項５記載の発明でいう第２送信文に相当）を送信するか否かを確認するためのメッセージｄ５、「ＹＥＳ」の文字が施された譲渡確定メール送信スイッチｄ６、「譲渡を断る」の文字が施された譲渡拒否メール送信スイッチｄ７、「返信しない」の文字が施された無返信スイッチｄ８が表示される。尚、上記譲渡確定メール送信スイッチｄ６、譲渡拒否メール送信スイッチｄ７及び無返信スイッチｄ８に対応した各領域には、タッチパネルスイッチによるスイッチ機能が付与される。
【００６２】
このメール受信画面の表示状態で譲渡確定メール送信スイッチｄ６がタッチ操作されたときには、制御装置は、例えば図８のような内容の譲渡確定メールを作成し、これを返信メールの送信元へ再返信する。具体的には、この譲渡確定メールには、希望譲渡数及び固有の暗号コードなどを識別可能な情報である２次元コード（ＱＲコード：登録商標）が画像データとして付加されると共に、その２次元コードの利用案内や希望譲渡数及び譲渡金額を知らせるためのメール本文が含まれることになる。
【００６３】
また、制御装置は、このように譲渡確定メールを送信した場合には、記憶部に記憶されている持玉数から、当該メールに含まれる２次元コードにより示される希望譲渡数に応じた数だけ減算すると共に、メール送信元及びメール送信先を特定可能な情報及び希望譲渡数を含むメール送信済み信号を管理装置７へ送信する。このようなメール送信済み信号を受信した管理装置７では、遊技会員データベース（図２参照）中における該当遊技会員（メール送信元である譲渡元遊技者）に係るレコードにアクセスし、そのレコードの仮譲渡数を示す情報中に、当該信号に含まれるメール送信先（持玉の譲渡先）及び譲渡持玉数を更新記憶する処理を実行する構成となっている。
【００６４】
このような譲渡確定メールの受信者（譲渡先遊技者）は、遊技場に来店したときに、自身の携帯電話機に対し譲渡確定メール中の２次元コードを表示させた状態とし、その２次元コードをカード発行装置９の読取部９ａに読み取らせるというカード発行操作を行う。すると、カード発行装置９内の図示しない処理回路ユニットが、読取部９ａにより読み取った２次元コードの解読及び検証を行うと共に、その２次元コードにより示される希望譲渡数を持玉数として記憶した持玉カードの発行処理を行うようになる。これにより、当該譲渡先遊技者は、発行された持玉カードを台間貸出機２のカード挿入スロット１４へ挿入することにより、持玉カードに記憶されている獲得数情報により示される持玉数の範囲内でパチンコ玉の貸出を受けることが可能になる。尚、このようにして持玉が譲渡された譲渡先遊技者は、その対価（譲渡確定メール中に記されている譲渡金額）を適宜機会に譲渡元遊技者に支払うことになる。また、持玉の譲渡が成立し、持玉カードを発行した場合には、遊技会員データベース（図２参照）の「仮譲渡分」欄の該当データ（仮譲渡数）が初期化される。
【００６５】
一方、図７のメール受信画面の表示状態で、譲渡拒否メール送信スイッチｄ７がタッチ操作されたときには、制御装置は、持玉の譲渡を断る内容の送信文を作成し、これを返信メールの送信元へ再返信する。
【００６６】
また、前記譲渡確定メールの受信者である譲渡先遊技者が遊技場に来店する前に、譲渡元遊技者が台間貸出機２から会員カードを排出させた場合や、図示しない退店スイッチ（このスイッチは、例えば情報表示部１１を利用して設定される）を操作した場合など、所定の退店条件が成立した場合には、制御装置は、例えば図９のような内容の退店メールを作成し、これを返信メールの送信元である譲渡先遊技者へ再返信する。具体的には、この退店メールには、譲渡元遊技者が退店する旨のメッセージ並びに譲渡確定メール中の２次元コードの有効期間を案内するメッセージなどが含まれることになる。
【００６７】
そして、譲渡確定メールの発信者である譲渡元遊技者が遊技場を退店した後に、譲渡先遊技者が来店し、譲渡確定メール中の２次元コードに基づいた持玉カードの発行処理が行われた場合（携帯電話機に表示させた譲渡確定メール中の２次元コードをカード発行装置９の読取部９ａに読み取らせた場合）には、制御装置は、例えば図１０のような内容の来店メールを作成し、これを遊技場（管理装置７）側から譲渡元遊技者のＥメールアドレス（携帯電話機）へ送信する。具体的には、この来店メールには、来店した譲渡先遊技者に対して持玉カードを発行した旨のメッセージ並びに譲渡金額を知らせる内容のメッセージなどが含まれることになる。
【００６８】
尚、譲渡元遊技者が遊技場内で遊技している状態（但し、自身の会員カードを台間貸出機２のカード挿入スロット１４へ挿入している状態）時に、譲渡先遊技者が来店して持玉カードの発行処理が前述のように行われた場合には、制御装置は、当該譲渡元遊技者が遊技中のパチンコ遊技機１に対応した台間貸出機２に対し上記来店メールを送信する処理を行うものであり、その来店メールは、譲渡元遊技者が遊技中のパチンコ遊技機１に対応した台間貸出機２の情報表示部１１において表示される。この場合、譲渡先遊技者が来店し、その持玉カードを台間貸出機２で使用したときには、対応する遊技機の台番号を特定可能なメールを再送信しても良い。
【００６９】
さらに、譲渡確定メールの受信者である譲渡先遊技者が、遊技場の閉店までに来店しなかった場合（来店したとしてもカード発行装置９で持玉カードの発行を受けなかった状態も含む概念である）には、制御装置は、例えば図１１のような内容の貯玉メール（請求項５記載の発明でいう譲渡不成立送信文に相当）を作成し、この貯玉メールを遊技場（管理装置７）側から譲渡元遊技者及び譲渡先遊技者の双方のＥメールアドレスへ送信する。この貯玉メールには、例えば、譲渡先遊技者が来店しなかったので譲渡が不成立になった旨を知らせるメッセージ、並びに譲渡予定だった持玉数を貯玉口座へ貯玉した旨を知らせる内容のメッセージなどが含まれる。
【００７０】
尚、制御装置は、貯玉メールの送信と同時に、譲渡が不成立となった譲渡先遊技者を特定可能な情報を含む譲渡不成立信号を管理装置７へ送信する。このような譲渡不成立信号を受信した管理装置７では、遊技会員データベース（図２参照）中の仮譲渡数を示す情報のうち、当該譲渡不成立信号により示される譲渡先遊技者に該当した仮譲渡数を示す情報を初期化すると共に、その仮譲渡数を前記譲渡元遊技者に係る貯玉数へ移行させる処理を実行する構成となっている。
【００７１】
ここで、前述した持玉譲渡のためのカード発行操作に応じて排出される持玉カード（持玉譲渡に係る提示額に対応した持玉数が獲得数情報として記憶されたもの）が請求項３記載の発明でいう第１記憶媒体に相当し、また、前述のように遊技終了スイッチのタッチ操作に応じて発行される持玉カード（遊技終了時において記憶部に残存していた持玉数を獲得数情報として記憶したもの）が請求項３記載の発明でいう第２記憶媒体に相当することになる。尚、遊技終了スイッチのタッチ操作時において、カード挿入スロット１４に適正な会員カードが挿入された状態にあるときに、持玉カードを発行せずに、記憶部中の残存持玉数を当該会員カードに係る貯玉口座へ預け入れる構成とした場合には、会員カードが上記第２記憶媒体に相当することになる。
【００７２】
要するに、上記した本実施例の構成によれば、以下に述べるような作用・効果を奏するものである。
即ち、遊技者が、パチンコ遊技機１での遊技により獲得したパチンコ玉を他の遊技者に譲渡することを希望する場合には、台間貸出機２の情報表示部１１に表示される譲渡数入力画面（図３参照）を通じて任意の数のパチンコ玉に対応した希望譲渡数を入力する。すると、その希望譲渡数と予め設定された交換情報（貸出単価及び景品交換単価の双方を特定可能な情報）とに基づいた演算により、当該希望譲渡数に対応した３段階の適正な範囲（譲渡元遊技者にとって損にならない範囲）の提示額が譲渡価額として算出され、それらの提示額、希望譲渡数に相当した数のパチンコ玉を台間貸出機２から受ける場合の貸出金額、及び希望譲渡数に相当した数のパチンコ玉を景品と交換する場合の景品交換金額を対比可能な状態で含む遊技者支援情報が、情報表示部１１に提示額入力画面（図４参照）に表示されるようになる。従って、パチンコ玉の譲渡元遊技者は、このように報知される遊技者支援情報に基づいて、パチンコ玉の適正な譲渡価額を容易に知ることができるようになる。特に、景品交換単価を短期間で変更する営業方針を持った遊技場、貸出単価及び景品交換単価が複数種類設定されている遊技場、或いは遊技者が始めて来店した遊技場などのように、交換率（貸出金額と景品交換金額との割合を示す）を明確に把握できない状況下にある場合でも、遊技者側で上記適正な譲渡価額を正確に把握できるようになる。これにより、持玉共有サービスを展開する際に遊技者側の利便性を向上させることでき、以ってパチンコ遊技機１の稼動率向上を実現可能となる。
【００７３】
この場合、上記提示額入力画面に表示される遊技者支援情報には、希望譲渡数に応じた数のパチンコ玉を前記３段階の提示額でそれぞれ譲渡した場合における譲渡元遊技者の利益及び譲渡先遊技者の利益を示す情報も含まれるようになる。従って、パチンコ玉の譲渡元の遊技者は、このように報知される遊技者支援情報に基づいて、希望する数のパチンコ玉の譲渡価額、並びに自身の利益及び譲渡先の遊技者の利益を容易に知ることができるようになる。これにより、持玉共有サービスを展開する際に遊技者側の利便性を一段と向上させることでき、以って遊技機の稼動率向上を実現可能となる。
【００７４】
各台間貸出機２には、対応するパチンコ遊技機１の遊技者が獲得したパチンコ玉を計数するための計数機ユニット１６、その計数結果を持玉数として記憶する記憶部、及び再遊技手段（図示しない玉放出機構及びノズル１３）が設けられている。また、台間貸出機２には、記憶部に記憶された持玉数に基づいて所定個数ずつのパチンコ玉を前記再遊技手段により放出するという玉払出制御機能、並びに、記憶部に記憶された持玉数の範囲内の希望譲渡数を再遊技可能な獲得数情報として記憶した持玉カードを発行するカード発行操作を受け付ける機能が付与されている。
【００７５】
このため、パチンコ玉の譲渡時には、上記持玉カードを受け渡すだけで済んで、その譲渡を容易且つ正確に行い得るようになり、遊技者を支援するシステムとしての付加価値が高まることになる。また、希望譲渡数に対応した獲得数情報を記憶した持玉譲渡用の持玉カードと、この持玉カードの発行後において前記記憶部内に残存した持玉数に対応した獲得数情報を記憶した第２の持玉カードとが発行される構成となっているから、パチンコ玉の譲渡をより正確に行い得るようになる。また、譲渡元遊技者は、再遊技手段を利用することにより、第２の持玉カードに記憶された獲得数情報により示される数のパチンコ玉（譲渡せずに残ったパチンコ玉）を、遊技場内のパチンコ遊技機１での再遊技に使用できるようになり、その利便性を高めることができる。
【００７６】
情報表示部１１には、Ｅメールの送信先を選択するための操作画面を前記遊技者支援情報などと共に表示したメール送信画面（図５参照）が表示されるようになっており、この画面上でメール送信操作を行うことにより、知人などに向けて、現在遊技中の遊技場名や希望譲渡数及びその譲渡価額などを含んだ内容の譲渡メールを送信できるようになっている。これにより、遊技場に来店していない人に向けて遊技場への来店を促すシステムを提供可能になる。この場合、上記譲渡メールの送信先となる人は、パチンコ玉の譲渡元遊技者がＥメールアドレスを把握した状態の親しい関係にあると考えられるので、遊技場から来店勧誘のためのＥメールを送信する場合よりも高い勧誘効果が得られるものであり、以って集客力の向上を期待できるようになる。
【００７７】
また、情報表示部１１には、上記譲渡メールの送信先である譲渡先遊技者から受信した返信メールの内容を遊技者支援情報（譲渡数、提示額）などと共に表示したメール受信画面（図７参照）が表示されるようになっており、この画面上でメール送信操作を行うことにより、上記譲渡先遊技者に向けてパチンコ玉の譲渡を確定させるための譲渡確定メールを送信できるようになっている。この譲渡確定メールには、希望譲渡数を識別可能な情報である２次元コードが画像データとして付加されており、当該メールの受信者（譲渡先遊技者）は、遊技場に来店したときに、自身の携帯電話機に対し譲渡確定メール中の２次元コードを表示させた状態とした上で、その２次元コードをカード発行装置９の読取部９ａに読み取らせるというカード発行操作を行うことにより、希望譲渡数を持玉数として記憶した持玉カードの発行を受けることができる。
【００７８】
尚、譲渡確定メールを送信した場合には、記憶部に記憶されている持玉数が、当該メールに含まれる２次元コードにより示される希望譲渡数に応じた数だけ減算されることになる。そして、当該譲渡先遊技者は、発行された持玉カードを台間貸出機２のカード挿入スロット１４へ挿入することにより、持玉カードに記憶されている獲得数情報により示される持玉数の範囲内でパチンコ玉の貸出を受けることが可能になる。つまり、譲渡先遊技者は、Ｅメールの受信及び返信操作などを行うだけで、譲渡されたパチンコ玉を使用した遊技が可能になるものであり、これにより遊技者にとっての利便性を大幅に高め得るようになる。
【００７９】
本実施例では、所謂貯玉システムを採用しており、管理装置７は、パチンコ玉の譲渡元遊技者のＥメールアドレスを管理すると共に、前記譲渡確定メールの送信に応じて前記記憶部から減算された持玉数（希望譲渡数）を仮譲渡数として管理するようになっている。この場合、前記カード発行装置９によるカード発行処理が予め設定された期限内（遊技場の閉店まで）に実施されなかった場合に、パチンコ玉の譲渡が成立しなかった旨を示す貯玉メール（図１１参照）が、譲渡元遊技者及び譲渡先遊技者の双方のＥメールアドレスへ送信される。このような送信が行われた場合、前記管理装置７は、前記仮譲渡数を譲渡元遊技者に係る貯玉口座へ移行させる処理を実行するようになる。
【００８０】
この結果、Ｅメールを受信した譲渡先遊技者が遊技場に来店しなかった場合、或いは来店した譲渡先遊技者が譲渡されたパチンコ玉を使用した再遊技を行わなかった場合であっても、遊技者間で損失が発生することがなくなり、しかも、パチンコ玉の譲渡が不成立であった旨を、譲渡元遊技者及び譲渡先遊技者の双方に送信されたＥメールの内容により証明できるので、遊技者間でトラブルが発生する事態を極力防止できるようになる。
また、上記実施例中に説明したように、提示額（譲渡価額）の特定のために種々の演算方法を採用できるから、実際にシステムを構築する上で便利になる。
【００８１】
（その他の実施の形態）
本発明は上記し且つ図面に示した実施例に限定されるものではなく、例えば以下に述べるような変形或いは拡大が可能である。
【００８２】
会員カードを利用した貯玉システムを採用したが、本発明は、特に会員カードを利用するシステムが前提となるものではない。
パチンコ遊技機１毎にパチンコ玉を計数するための計数機ユニット１６を設けた所謂台毎計数システムを前提としたが、これに限られるものではない。例えば、複数台のパチンコ遊技機１が並べられた島の端に設置された計数機にてパチンコ玉数を計数したときに、当該計数機での操作入力により受け付けた譲渡玉数について、譲渡元遊技者の利益及び譲渡先遊技者の利益や譲渡額などの持玉共有情報を印字したレシートを記憶媒体として発行する構成としても良い。この場合、「パチンコ玉の計数値≠譲渡玉数」の関係にあった場合には、譲渡玉数分の持玉共有情報を印字したレシートと、残りの計数値に対応したパチンコ玉数分の情報を印字したレシートとを区別して発行する構成とすることが望ましい。勿論、台毎計数システムを採用した本実施例においても、上述のような持玉共有情報を印字したレシートを発行する構成としても良い。
【００８３】
遊技場が持玉の譲渡を認める目的は、遊技機の稼動率を向上させることにあるので、本実施例の場合、管理装置７において、パチンコ遊技機１側から受信した遊技信号（例えばアウト信号）に基づいてパチンコ遊技機１の稼動の有無を判定すると共に、稼動中と判定したパチンコ遊技機１の台数を稼動数として特定し、その稼動数が予め設定されたしきい値を超えた場合に、情報表示部１１による報知動作（譲渡数入力画面（図３参照）や提示額入力画面（図４参照）の表示動作）、譲渡対象の持玉数を記憶した持玉カードの発行動作、及び譲渡メールの送信動作の少なくとも１つを禁止する処理を行う構成としても良い。
【００８４】
また、譲渡対象の持玉数を記憶した持玉カードの発行を、譲渡元遊技者の譲渡益が零とならない範囲の手数料を徴収することを条件として許容する構成、具体的には、例えば、台間貸出機２側の記憶部に記憶されている持玉数から手数料を減算（例えば、譲渡元及び譲渡先遊技者の合計利益が４０００円である場合に、２０００円分を減算）して徴収することを条件として許容する構成としても良い。このような構成とした場合、その手数料の額が、譲渡元遊技者の譲渡利益が零とならない程度に抑制可能になるため、遊技場側の損失を極力低減しながら遊技者間でのパチンコ玉の譲渡を奨励できるようになり、システム自体の付加価値の向上を期待できる。尚、この場合には、管理装置７が、請求項７記載の発明でいう遊技信号受信手段及び譲渡抑制手段としての機能を果たすことになる。このような構成によれば、遊技場に設置されたパチンコ遊技機１の稼動数が相対的に多い場合に、遊技場側の損失が無闇に増大する事態を未然に防止できるようになる。また、譲渡先遊技者が、譲渡されたパチンコ玉を使用して再遊技を行う場合に、遊技対象の候補となるパチンコ遊技機１がなくなる事態を未然に防止できる。
【００８５】
上記実施例では、パチンコ玉の貸出単価及び景品交換単価をそれぞれ４円及び２円の単一レートに設定した遊技場用システムを前提としたが、同一の遊技場内で複数段階の貸出単価及び景品交換単価を設定したシステムにも適用できる。尚、この場合には、単価が異なるパチンコ玉毎に再遊技可能なパチンコ遊技機の範囲が限定されることになるの、持玉カードや譲渡メール及び譲渡確定メールなどに遊技可能なパチンコ遊技機を指定する情報を付加することにより、遊技者側の便宜を図る構成としても良い。
【００８６】
上記実施例では、持玉数を特定可能な獲得数情報を持玉カードに直接的に記憶する構成としたが、持玉カードには固有のカードＩＤのみを記憶し、獲得数情報の記憶及びこれに基づいたパチンコ玉の払出に係る処理及び管理を、管理装置７側で当該カードＩＤと対応付けた状態で行う構成としても良い。
【００８７】
獲得数情報（持玉数）を記憶する記憶媒体として持玉カードを利用する構成としたが、携帯電話機のような携帯端末を記憶媒体として利用しても良い。また、指紋、掌紋や虹彩などの遊技者の生体情報を管理装置７側に事前に登録しておき、その生体情報を利用した生体認証に基づいて実施例同様の持玉共有サービスを行う構成としても良い。
【００８８】
店内ＬＡＮ８に接続された図示しない呼出ランプユニットや中継装置６などの端末装置に、ＣＰＵなどを含んで構成された制御回路を内蔵し、管理装置７での処理を、これら呼出ランプユニット、中継装置や台間貸出機２にて行う構成としても良い。また、管理装置７側で行う処理の一部（外部へのメール送信処理など）を台間貸出機２内の図示しない制御装置で行う構成としても良い。勿論、台間貸出機２における処理の一部（送信文作成手段に関わる構成など）を、管理装置７や、中継装置６などに行わせても良い。
【００８９】
パチンコ遊技機１毎に再遊技手段（台間貸出機２内の図示しない玉放出機構及びノズル１３）を設ける構成としたが、島端などに設けられる所謂島端再プレイ機などを再遊技手段としても良い。また、持玉の譲渡を行う際に持玉カードを介在させるシステム構成としたが、持玉数を示すデータを台間貸出機２間で移動（送受信）することにより持玉の譲渡を行うようにしても良い。
【００９０】
台間貸出機２に対して、カード発行装置９に備えられている２次元コード用の読取部９ａと同様の読取部を識別情報受付手段として設け、この読取部により譲渡確定メール（図８参照）中の２次元コードを読み取ったときに、その解読及び検証を行った上で、当該２次元コードにより示される希望譲渡数を台間貸出機２内の記憶部に持玉数として記憶（加算）すると共に、上記２次元コードの無効化処理（再使用を不許可とする処理）を行う構成としても良い。
【００９１】
持玉数や貯玉数の基づいた再遊技の際に、暗証番号の入力などのような個人認証が必要となるシステム構成としても良い。また、パチンコ遊技機に限らず、遊技媒体としてコインを使用するスロットマシンを備えた遊技場用システムにも適用できることは勿論であり、この場合には、持玉カードに対して獲得遊技媒体数を記憶する際に、その遊技媒体の種類（パチンコ玉またはコイン）を特定できる情報も記憶することになる。また、情報表示部１１に表示する譲渡数入力画面や提示額入力画面などの情報提示画面、並びに譲渡メールや譲渡確定メールなどにも譲渡対象の遊技媒体を特定できる情報を含ませることになる。
【図面の簡単な説明】
【００９２】
【図１】本発明の一実施例を示す遊技場用システムの全体構成図
【図２】遊技会員データベースのフォーマット例を示す図
【図３】譲渡数入力画面の表示例を示す図
【図４】提示額入力画面の表示例を示す図
【図５】メール送信画面の表示例を示す図
【図６】譲渡メールの内容例を示す図
【図７】メール受信画面の表示例を示す図
【図８】譲渡確定メールの内容例を示す図
【図９】退店メールの内容例を示す図
【図１０】来店メールの内容例を示す図
【図１１】貯玉メールの内容例を示す図
【図１２】パチンコ玉を譲渡する場合の提示額の例を示す図
【符号の説明】
【００９３】
１はパチンコ遊技機、２は台間貸出機、７は管理装置（顧客管理手段、遊技信号受信手段）、９はカード発行装置、９ａは読取部（識別情報受付手段）、１１は情報表示部（受付手段、報知手段、譲渡先受付手段）、１３はノズル（再遊技手段）、１４はカード挿入スロット、１５はカード発行スロット、１６は計数機ユニット（計数手段）を示す。
【図１】
0005173452.tif 000002
【図２】
0005173452.tif 000003
【図３】
0005173452.tif 000004
【図４】
0005173452.tif 000005
【図５】
0005173452.tif 000006
【図６】
0005173452.tif 000007
【図７】
0005173452.tif 000008
【図８】
0005173452.tif 000009
【図９】
0005173452.tif 000010
【図１０】
0005173452.tif 000011
【図１１】
0005173452.tif 000012
【図１２】
0005173452.tif 000013